(57)【要約】【課題】板厚を厚くすることなく強度を増大させ、外力が加わったときの折れ曲がり、倒れ込みを防止し得るようにしたドラム用スネアゲートを提供する。【解決手段】スネアゲート２３をガード部２３Ａと、２つの脚部２３Ｂ，２３Ｂとで構成し、これらの脚部２３Ｂ，２３Ｂの内側縁にリブ２５を一体に形成する。【選択図】　　　　図１
2004094216.tif 000002
【特許請求の範囲】
【請求項１】
スネアドラムのフープを外力から保護するために前記フープに装着される一対の脚部とこれらの脚部を連結するガード部とからなる門型のドラム用スネアゲートにおいて、
前記スネアゲートの脚部を脚間内側に向かってＬ字形に形成したことを特徴とするドラム用スネアゲート。
【請求項２】
スネアドラムのフープを外力から保護するために前記フープに装着される一対の脚部とこれらの脚部を連結するガード部とからなる門型のドラム用スネアゲートにおいて、
平板で構成した脚部中央にリブを一体に形成したことを特徴とするドラム用スネアゲート。
【請求項３】
請求項２記載のドラム用スネアゲートにおいて、
スネアゲートのガード部にわたってリブを一体に形成したことを特徴とするドラム用スネアゲート。
【発明の詳細な説明】
【０００１】
【発明の属する技術分野】
本発明は、ドラム用響線を備えたスネアードラム、マーチングドラム、バスドラム等のフープに取付けられるドラム用スネアゲートに関する。
【０００２】
【従来の技術】
スネアードラムは、ドラム用響線を非打面側、すなわち裏面側ドラムヘッドまたは打面側（表面側）ドラムヘッドと裏面側ドラムヘッドの双方に対して選択的に接触離間させることにより、ドラムヘッドの振動をドラム用響線に伝えて楽器に特有なぱらぱらという軽快な音色をもたらす、いわゆるタブリング効果と称する特殊音響効果が得られるようにしている（例えば、特許文献１参照）。
【０００３】
【特許文献１】
実公昭５８−５０３７２号公報。
【０００４】
図３は裏面側のドラムヘッドに対してドラム用響線を装着した従来のスネアードラムを示す外観斜視図で、１はスネアドラム、２は胴本体、３は裏面側のドラムヘッド、４は胴本体２の各開口端部に嵌装されたフープ（締枠）、５はラグ、６はフープ４とラグ５を連結する締めボルト、７はドラム響線である。
【０００５】
ドラム響線７は、両端がプレート９にそれぞれ半田付けによって固定されており、これらのプレート９をバンド１０を介して前記胴本体２の外周に取付けた２つのストレイナー１１にそれぞれ連結している。ストレイナー１１は、ドラム用響線７をドラムヘッド３に対して接離させるもので、不使用時においてはバンド１０を支持しているローラ１２を上方位置に移動させておくことによりドラム響線７をドラムヘッド３から離間させており、使用時にレバー１３の操作によってローラ１２を引き下げてドラム響線７をドラムヘッド３の表面に接触させるとともにドラム響線７に張力を付与するように構成されている。したがって、この接触状態で表面側のドラムヘッドを打撃すると、その振動が裏面側のドラムヘッド３を介してドラム響線７に伝達され、楽器に特有なパラパラという軽快な音色の特殊音響効果が得られる。
【０００６】
このようなスネアドラム１において、フープ４にはスネアゲート１４が取付けられているケースがある。スネアゲート１４は、フープ４およびスネア響線７を外力から保護するためのもので、図４に示すように金属板の折曲加工によって側面視逆Ｌ字状に形成されることにより、細長い水平板からなるガード部１４Ａと、このガード部１４Ａの各端部の外側面より下方に略直角に折り曲げられた２つの脚部１４Ｂ，１４Ｂとからなり、これらの脚部１４Ｂを前記フープ４に固定し、ガード部１４Ａによって前記プレート９の上方を覆っている。なお、スネアゲート１４としては、フープ４と一体成形されたものも知られている。
【０００７】
【発明が解決しようとする課題】
上記した従来のスネアゲート１４は体裁上比較的板厚が薄い金属板からなり、脚部１４Ｂがスネアドラム１の径方向と直交するようにフープ４に取付けられているため、搬送時等においてガード部１４Ａや脚部１４Ｂを壁、柱、机などに強く当てると、脚部１４Ｂが変形したり内側（ドラムヘッド側）に倒れ込むという問題があった。
【０００８】
本発明は上記した従来の問題を解決するためになされたもので、その目的とするところは、板厚を厚くすることなく強度を増大させ、外力が加わったときの変形や倒れ込みを防止し得るようにしたドラム用スネアゲートを提供することにある。
【０００９】
【課題を解決するための手段】
上記目的を達成するために第１の発明は、スネアドラムのフープを外力から保護するために前記フープに装着される一対の脚部とこれらの脚部を連結するガード部とからなる門型のドラム用スネアゲートにおいて、前記スネアゲートの脚部を脚間内側に向かってＬ字形に形成したものである。
【００１０】
第１の発明においては、脚部を断面Ｌ字形とすることにより脚部の強度を増大させているため、外力が加わったとき、曲がったり倒れ込んだりするのを軽減防止することができる。
【００１１】
第２の発明は、スネアドラムのフープを外力から保護するために前記フープに装着される一対の脚部とこれらの脚部を連結するガード部とからなる門型のドラム用スネアゲートにおいて、平板で構成した脚部中央にリブを一体に形成したものである。
【００１２】
第２の発明においても、脚部中央にリブを一体に形成することにより脚部の強度を増大させているため、外力が加わったとき、曲がったり倒れ込んだりするのを軽減防止することができる。また、脚部中央にリブを形成しているので、リブの形成が容易である。また、リブは脚部に一体に形成されているので、別部材からなるリブを製作して溶接したりする必要がない。
【００１３】
第３の発明は、上記第２の発明において、スネアゲートのガード部にわたってリブを一体に形成したものである。
【００１４】
第３の発明においては、リブによってガード部の強度を増大させているため、外力によるガード部の折れ曲がりを防止することができる。
【００１５】
【発明の実施の形態】
以下、本発明を図面に示す実施の形態に基づいて詳細に説明する。
図１は本発明に係るドラム用スネアゲートの一実施の形態を示す斜視図である。なお、住来技術で示した構成部材と同一のものについては同一符号をもって示し、その説明を適宜省略する。本実施の形態においては、図３に示したスネアドラム１と同様に裏面側ドラムヘッドの表面にドラム用響線が装着されるスネアードラムに適用した例を示す。また、スネアドラム自体は上記スネアドラム１と全く同一である。
【００１６】
図１において、２１は環状に形成されたヘッド枠で、ドラムヘッド３の外周縁部を保持して胴本体２の外周に嵌装されており、このヘッド枠２１をフープ４によって押圧するとドラムヘッド３に張力が付与されるように構成されている。
【００１７】
前記フープ４は、前記胴本体２の外径より若干大きい円筒部４Ａと、この円筒部４Ａの胴本体２側端に一体に連設された断面Ｌ字形の押圧部４Ｂとからなり、前記円筒部４Ａにはドラム響線７のプレート９に対応する箇所にベルト１０が通る通路としての開放部２２が形成され、この開放端部を連結するようにスネアゲート２３が取付けられている。前記押圧部４Ｂは前記ヘッド枠２１を押圧するための部分で、締めボルト６によってラグ５（図３参照）に連結されている。
【００１８】
前記スネアゲート２３は、金属板を折曲加工によって側面視逆Ｌ字状に形成することにより、細長いガード部２３Ａと、このガード部２３Ａの各端部の外側面より下方に略直角に折り曲げられた２つの脚部２３Ｂ，２３Ｂとからなり、これらの脚部２３Ｂが前記フープ４の円筒部４Ａの開放端部に止めねじ２４によってそれぞれ固定されている。また、各脚部２３Ｂは、断面Ｌ字形に形成されることにより、互いに対向する内側端に、内側（ドラムヘッド側）に略直角に折り曲げ形成されたリブ２５が一体に設けられている。このようなスネアゲート２３は、図４に示した従来のスネアゲート１４と材料、板厚が全く同じで、前記リブ２５が一体に形成されている点が相違している。ガード部２３Ａは、ト゛ラム響線７を跨ぐように設ければ水平でなくてもよい。
【００１９】
このような構造からなるスネアゲート２３によれば、リブ２５によって脚部２３Ｂを補強し板厚方向の強度を増大させているので、板厚を厚くして強度を増大させなくても外力がガード部２３Ａや脚部２３Ｂに加わったとき、脚部２３Ｂが内側に折れ曲がってスネアゲート２３が倒れ込んだりするのを確実に防止することができる。
【００２０】
また、リブ２５の部分は、脚部２３Ｂの内側に位置するため、材料取りに無駄が生じない。
【００２１】
図２（ａ）、（ｂ）はスネアゲートの他の実施の形態を示す平面図およびドラムの径方向外方から見た正面図である。
本実施の形態は、ガード部２３Ａと各脚部２３Ｂの表面で幅方向中央部をビーディング加工によって塑性変形させることにより表面側に凸となるように断面半円形のビード３０を形成し、このビード３０をリブとしたものである。
【００２２】
このような構造からなるスネアゲート２３’によれば、脚部２３Ｂのみならずガード部２３Ａをもビードからなるリブ３０によって補強しているので、ガード部２３Ａに板厚方向の外力が加わったときガード部２３Ａの折れ曲がりを防止することができる。また、ビードからなるリブ３０は、搬送時にスネアゲート２３’のガード部２３Ａを把持したとき、手が痛くなるおそれがない。
【００２３】
なお、本発明は上記した実施の形態に何ら限定されるものではなく、種々の変更、変形が可能である。例えば、図１に示したスネアゲート２３においてそのガード部２３Ａの側縁にリブを折り曲げ形成によって一体に形成したり、あるいは図２に示したスネアゲート２３’においてその脚部２３Ｂの内側縁に図１に示したリブ２５を一体に形成すると、スネアゲート２３，２３’の強度をより一層増大させることができる。
【００２４】
【発明の効果】
以上説明したように本発明に係るドラム用スネアゲートは、脚部を断面Ｌ字形としているので、脚部の強度が増大し、外力が加わったときの脚部の折れ曲がりを防止することができる。
また、スネアゲートの脚部中央にリブを一体に形成しているので、別部材からなるリブを製作して溶接したりする必要がなく、スネアゲートの製作も容易である。
さらに、スネアゲートのガード部にもリブを塑性加工によって一体に形成しているので、一層スネアゲートの強度を増大させることができる。
さらに、リブをビードで構成すると、スネアゲートの外観を向上させることができる。
【図面の簡単な説明】
【図１】本発明に係るドラム用スネアゲートの一実施の形態を示す斜視図である。
【図２】（ａ）、（ｂ）はスネアゲートの他の実施の形態を示す平面図およびドラムの径方向外方から見た正面図である。
【図３】スネアドラムの外観斜視図である。
【図４】従来のスネアゲートの斜視図である。
【符号の説明】
２…胴本体、３…裏面側のドラムヘッド、７…スネア響線、１２…プレート、１４，２３，２３’…スネアゲート、２３Ａ…ガード部、２３Ｂ…脚部、２５，３０…リブ（ビード）。
【図１】
2004094216.tif 000003
【図２】
2004094216.tif 000004
【図３】
2004094216.tif 000005
【図４】
2004094216.tif 000006